(57)【特許請求の範囲】
【請求項１】
体組織内の接触圧力を測定する接触圧力測定システムであって、
体組織内の接触圧力を測定する接触圧力測定部と、
前記接触圧力測定部が一端に装着され一径が該接触圧力測定部の外径と略同等であり他の一径方向へ展開可能な展開部と、該展開部の他端に接続された保持部とを有する取り回し部と、
前記取り回し部が装着された導入部であって、該取り回し部の展開部が測定対象へ展開され且つ該導入部側へ格納される開口部と、該展開部の展開及び格納を操作する操作部とを有するものとを備えたことを特徴とする接触圧力測定システム。
【請求項２】
請求項１記載の接触圧力測定システムにおいて、前記接触圧力測定部は、柔軟性を有する絶縁フィルム上に形成された櫛目状の電極２枚で導電性フィルムを挟み込む構造を有し、２枚の各櫛目状の電極を相互に直交させることにより形成されたマトリックス状の交点を測定点とすることを特徴とする接触圧力測定システム。
【請求項３】
請求項１又は２記載の接触圧力測定システムにおいて、前記導入部は中空の筒内に棒を通した構造を有し、該棒の一端に前記保持部が装着され前記展開部を該保持部に巻き取ることにより全体として前記取り回し部が該保持部を介して該棒に装着され、該棒の他端に該展開部の展開及び格納を操作する操作部が装着され、該取り回し部が装着された一端に対応する該筒の一端に開口部が設けられており、
該展開部は該操作部の回転により該保持部から巻き出され該開口部を通して測定対象へ展開され、該展開部は該操作部の逆の回転により該保持部へ該開口部を通して巻き取られて格納されることを特徴とする接触圧力測定システム。
【請求項４】
請求項２又は３記載の接触圧力測定システムにおいて、前記接触圧力測定部の各電極に接合されたリード線を前記導入部を通して接続した測定システムをさらに備え、該測定システムは前記接触圧力測定部のマトリックス状の測定点の抵抗値をスキャンして該抵抗値を電圧値に変換し、該電圧値と接触圧力との関係を求めることを特徴とする接触圧力測定システム。
【請求項５】
請求項３又は４記載の接触圧力測定システムにおいて、前記導入部の筒は内視鏡視下手術の際に使用可能な外径を備えたことを特徴とする接触圧力測定システム。
【請求項６】
請求項１乃至４のいずれかに記載の接触圧力測定システムにおいて、前記導入部の材料として生体用金属材料を用いることを特徴とする接触圧力測定システム。
【発明の詳細な説明】
【技術分野】
【０００１】
本発明は、体組織内の接触圧力を測定する接触圧力測定システムに関する。
【背景技術】
【０００２】
関節における骨と骨との間、腹腔における臓器と臓器との間、各種生体組織と治療器具との間等、生体内の詳細な接触圧力（分布）を直接測定することは、外科的な臨床治療において、医師が病態の検査・診断・治療を行うに際し、貴重な情報をもたらすものと言われている。このため、従来、体組織内の接触圧力（分布）の測定は、感圧紙、感圧導電インク、感圧導電ゴム等を利用した圧力センサにより行われていた（非特許文献１、２および３参照）。
【０００３】
図１２は、体組織内の接触圧力（分布）の測定に用いられた従来の圧力センサを例示する。図１２において、符号６０は従来の圧力センサにおける測定部、６１はワイヤ等の取り回し部である。図１２では図面の都合上、明示されていないが、測定部６０は２枚の櫛目状電極板を直交するようにした構造である。このため、取り回し部６１が図１２に示されるように測定部６０の横に広がっていた。
【発明の概要】
【発明が解決しようとする課題】
【０００４】
上述したように、従来の圧力センサ６０は取り回し部６１が測定部６０の横に広がっていたため、圧力センサ６０を生体組織内に挿入するに際し、測定領域（測定部６０の領域）よりも広く体組織の切開を行う必要があった。このため、体組織に対して低侵襲的な測定を行うことができず、従来の体組織内の接触圧力（分布）の測定は屍体による測定がほとんどであり、臨床における圧力センサでの測定はほとんど行われていないという問題があった。
【０００５】
そこで、本発明の目的は、上記問題を解決するためになされたものであり、臨床における圧力センサによる接触圧力（分布）の測定を、生体組織に対して低侵襲的に行うことができる接触圧力測定システムを提供することにある。
【０００６】
本発明の第２の目的は、内視鏡視下手術において生体組織内の接触圧力（分布）を直接測定することができる接触圧力測定システムを提供することにある。
【課題を解決するための手段】
【０００７】
この発明の接触圧力測定システムは、体組織内の接触圧力を測定する接触圧力測定システムであって、体組織内の接触圧力を測定する接触圧力測定部と、前記接触圧力測定部が一端に装着され一径が該接触圧力測定部の外径と略同等であり他の一径方向へ展開可能な展開部と、該展開部の他端に接続された保持部とを有する取り回し部と、前記取り回し部が装着された導入部であって、該取り回し部の展開部が測定対象へ展開され且つ該導入部側へ格納される開口部と、該展開部の展開及び格納を操作する操作部とを有するものとを備えたことを特徴とする。
【０００８】
ここで、この発明の接触圧力測定システムにおいて、前記接触圧力測定部は、柔軟性を有する絶縁フィルム上に形成された櫛目状の電極２枚で導電性フィルムを挟み込む構造を有し、２枚の各櫛目状の電極を相互に直交させることにより形成されたマトリックス状の交点を測定点とすることができる。
【０００９】
ここで、この発明の接触圧力測定システムにおいて、前記導入部は中空の筒内に棒を通した構造を有し、該棒の一端に前記保持部が装着され前記展開部を該保持部に巻き取ることにより全体として前記取り回し部が該保持部を介して該棒に装着され、該棒の他端に該展開部の展開及び格納を操作する操作部が装着され、該取り回し部が装着された一端に対応する該筒の一端に開口部が設けられており、該展開部は該操作部の回転により該保持部から巻き出され該開口部を通して測定対象へ展開され、該展開部は該操作部の逆の回転により該保持部へ該開口部を通して巻き取られて格納されることができる。
【００１０】
ここで、この発明の接触圧力測定システムにおいて、前記接触圧力測定部の各電極に接合されたリード線を前記導入部を通して接続した測定システムをさらに備え、該測定システムは前記接触圧力測定部のマトリックス状の測定点の抵抗値をスキャンして該抵抗値を電圧値に変換し、該電圧値と接触圧力との関係を求めることができる。
【００１１】
ここで、この発明の接触圧力測定システムにおいて、前記導入部の筒は内視鏡視下手術の際に使用可能な外径を備えることができる。
【００１２】
ここで、この発明の接触圧力測定システムにおいて、前記導入部の材料として生体用金属材料を用いることができる。
【発明の効果】
【００１３】
本発明の接触圧力測定システムの構成要素は、体組織内の接触圧力を測定する圧力センサと、圧力センサが装着された取り回し部と、取り回し部を体組織内へ導入する導入部と、圧力センサと導入部を通して接続した測定システムとから成っている。圧力センサは、柔軟性を有する絶縁フィルムおよびその上に形成された導電膜、例えば銅張ポリイミドフィルム上に形成された櫛目状の電極（例えば銅電極）２枚で導電性フィルムを挟み込む構造を有している。２枚の各櫛目状の銅電極を相互に直交させることにより形成されたマトリックス状の交点を測定点とする。このため、本発明の接触圧力測定システムによれば、測定点をマトリックス状に多数配置することができ、圧力センサにより測定される測定領域の小さな面に対しても高い分解能による測定が可能であるという効果がある。取り回し部の一径は圧力センサの外径と略同等であるため、圧力センサを生体組織内に挿入するに際し、測定領域よりも広く体組織の切開を行う必要がない。この結果、本発明の接触圧力測定システムによれば、圧力センサによる接触圧力（分布）の測定を、体組織に対して低侵襲的に行うことができるという効果がある。導入部は、取り回し部の展開部が測定対象へ展開され且つ導入部側へ格納されるスリットと、展開部の展開および格納を操作する操作部とから構成されている。取り回し部および導入部を１つのリード部とみなし、低侵襲的に圧力センサを体組織内へ導入することが可能である。この結果、臨床、特に内視鏡視下手術において、圧力センサによる接触圧力（分布）の測定を、体組織に対して低侵襲的に行うことができると共に、生体組織内の接触圧力（分布）を直接測定することができるという効果がある。
【図面の簡単な説明】
【００１４】
【図１】本発明の接触圧力測定システムにおける圧力センサ１０を示す図である。
【図２（Ａ）】本発明の接触圧力測定システムにおける取り回し部２０を示す図である。
【図２（Ｂ）】図２（Ａ）に示された取り回し部２０の実物写真（スケール付）を示す図である。
【図３（Ａ）】本発明の接触圧力測定システムにおける導入部（センサ導入機構）３０を示す図である。
【図３（Ｂ）】導入部３０で取り回し部２０の展開部２１が測定対象へ展開された状態を示す実物写真を示す図である。
【図３（Ｃ）】導入部３０で取り回し部２０の展開部２１が測定対象から導入部３０側へ格納された状態を示す実物写真を示す図である。
【図４】本発明の接触圧力測定システムにおける測定システム４０を示す図である。
【図５】較正実験により得られた圧力の出力電圧−圧力特性を示すグラフである。
【図６】微小な個体としてクリップを用いた場合の適用実験１を示す図である。
【図７】接触圧力測定システムを用いて適用実験１の接触圧力分布の測定を行った結果を示す図である。
【図８】微小な個体としてクリップを用いた場合の適用実験２を示す図である。
【図９】接触圧力測定システムを用いて適用実験２の接触圧力分布の測定を行った結果を示す図である。
【図１０】微小な個体としてクリップを用いた場合の適用実験３を示す図である。
【図１１】接触圧力測定システムを用いて適用実験３の接触圧力分布の測定を行った結果を示す図である。
【図１２】体組織内の接触圧力（分布）の測定に用いられた従来の圧力センサを例示する図である。
【発明を実施するための形態】
【００１５】
以下、各実施例について図面を参照して詳細に説明する。
【実施例１】
【００１６】
本発明の接触圧力測定システムは、生体組織内の接触圧力を測定することを目的とするが、従来のように屍体組織に対しても使用できることは勿論である。以下では、体組織とは生体組織および屍体組織の両方を指すものとする。本発明の接触圧力測定システムの構成要素は、体組織内の接触圧力を測定する圧力センサ（接触圧力測定部）と、圧力センサが装着された取り回し部と、取り回し部を体組織内へ導入する導入部と、圧力センサと導入部を通して接続した測定システムとから成っている。以下、各構成要素について詳細に説明する。
【００１７】
図１は、本発明の接触圧力測定システムにおける圧力センサ１０を示す。図１において、符号１１ａは圧力センサ１０の一電極であり、柔軟性を有する絶縁フィルムおよびその上に形成された導電膜（好適には銅張ポリイミドフィルム）の導電膜をウェットエッチング処理により櫛目状に加工し、櫛目状の電極（好適には銅電極）ａ１〜ａ５として構成されている。符号１２は圧力センサ１０の圧力変換素子である導電性フィルムであり、作用圧力に応じて厚さ方向の電気抵抗値が変化する特性を有している。符号１１ｂは圧力センサ１０の他の電極であり、柔軟性を有する絶縁フィルムおよびその上に形成された導電膜（好適には銅張ポリイミドフィルム）の導電膜をウェットエッチング処理により櫛目状に加工し、櫛目状の電極（好適には銅電極）ｂ１〜ｂ５として構成されている。以下では、特に混乱がない限り、電極１１ａ、１１ｂ全体も櫛目状の電極（好適には銅電極）と呼ぶ。本明細書では、柔軟性を有する絶縁フィルムおよびその上に形成された導電膜の例として銅張ポリイミドフィルムを挙げて説明するが、柔軟性を有する絶縁フィルムおよびその上に形成された導電膜は銅張ポリイミドフィルムに限定されるものではない。同様に、電極の例として銅電極を挙げて説明するが、電極は銅電極に限定されるものではない。図１に示されるように、圧力センサ１０は、銅張ポリイミドフィルム上に形成された櫛目状の銅電極ａ１〜ａ５、ｂ１〜ｂ５（または櫛目状の銅電極１１ａおよび１１ｂ）の２枚で導電性フィルム１２を挟み込む構造を有している。２枚の各櫛目状の銅電極ａ１〜ａ５、ｂ１〜ｂ５（または櫛目状の銅電極１１ａおよび１１ｂ）を相互に直交させることにより形成されたマトリックス状の交点を測定点としている。このように測定点をマトリックス状に多数配置することができるため、圧力センサ１０により測定される測定領域の小さな面に対しても高い分解能による測定が可能である。
【００１８】
図１に示される銅張ポリイミドフィルム（１１ａ、１１ｂ）の厚さは好適には８５μｍ、導電生フィルム１２の厚さは好適には５０μｍである。圧力センサ１０の厚さは約３５０μｍであり、５０×５０μｍ２の面積を有する測定点を９０μｍピッチ（図１の櫛目状の銅電極ｂ４とｂ５との間隔を参照）で１５×１５個配置した。圧力センサ１０の全体の大きさは１．３×１．３ｍｍ２であり、この測定領域に２２５個の測定点を有している。このため、詳細な接触圧力分布の測定が可能である。以上示した数値は一例であって、本発明の接触圧力測定システムにおける圧力センサ１０の仕様は上記数値に限定されるものではない。例えば、櫛目状の銅電極ｂ１等とｂ２等との間隔（ピッチ）は、ウェットエッチング処理により自由に設定できるため、測定点の個数も任意個配置することができる。
【００１９】
図２（Ａ）は、本発明の接触圧力測定システムにおける取り回し部２０を示す。図２（Ａ）で図１と同じ符号を付した個所は同じ要素を示すため、説明は省略する。図２（Ａ）において、符号２１は圧力センサ１０が一端Ｃに装着され一径（図２（Ａ）では短径Ｅ）が圧力センサ１０の外径と略同等である展開部２１である。展開部２１は他の一径（図２（Ａ）では長径Ｆ）方向へ展開可能となっている。符号２２は展開部２１の他端Ｄに接続された保持部である。図２（Ａ）に示されるように、展開部２１の長径Ｆの長さは好適には２０ｍｍであり、保持部２２の長さ（長径）は好適には３３ｍｍである。内視鏡視下手術で圧力サンサ１０を使用することを目的として、展開部２１はロール状に巻き取り／巻出しができるように設計した。保持部２２から見て高さ２０ｍｍに装着された圧力センサ１０の部分が、後述する導入部側の細い棒にロール状に巻き取り／巻出される形状とした。符号１３は図１では示されていないが、櫛目状の銅電極ａ１等、ｂ１等の各々に接合されたリード線である。血液、関節液の侵入および表面摩擦の低減のため、図１に示した圧力センサ１０と図２（Ａ）に示した取り回し部２０との全体をマスキングシートで包み込むように封止している。上述したように、取り回し部２０の一径（図２（Ａ）では短径Ｅ）は圧力センサ１０の外径と略同等であるため、圧力センサ１０を生体組織内に挿入するに際し、測定領域よりも広く体組織の切開を行う必要がない。このため、圧力センサ１０による接触圧力（分布）の測定を、体組織に対して低侵襲的に行うことができる。
【００２０】
図２（Ｂ）は、図２（Ａ）に示された取り回し部２０の実物写真（スケール付）である。図２（Ｂ）に示されるように、展開部２１の短径Ｅは約５ｍｍとなっており、保持部２２の短径は約５ｍｍである。以上示した数値は一例であって、本発明の接触圧力測定システムにおける取り回し部２０の仕様は上記数値に限定されるものではない。
【００２１】
図３（Ａ）は、本発明の接触圧力測定システムにおける導入部（センサ導入機構）３０を示す。図３（Ａ）で、符号３１は中空の筒であり、内視鏡視下手術の際に使用可能な大きさである短径５ｍｍ程度、長径１５０ｍｍ程度のサイズが好適である。符号３２は取り回し部２０の展開部２１が測定対象へ展開され且つ導入部３０側へ格納されるスリット（開口部）である（詳細は後述する図３（Ｂ）および３（Ｃ）の説明で示す。）。符号３３は展開部２１の展開および格納を操作する操作部であり、短径５ｍｍ程度、長径３０ｍｍ程度のサイズが好適である。導入部３０の材料としては、生体親和性が高く生体内で使用しても生体に影響がない生体用金属材料が好適であり、例えばチタン、チタン合金、ステンレス、コバルトクロム合金等が好適である。
【００２２】
図３（Ｂ）は、導入部３０で取り回し部２０の展開部２１が測定対象へ展開された状態を示す実物写真を示し、図３（Ｃ）は、導入部３０で取り回し部２０の展開部２１が測定対象から導入部３０側へ格納された状態を示す実物写真を示す。図３（Ｂ）、３（Ｃ）で図２（Ａ）、２（Ｂ）、３（Ａ）と同じ符号を付した個所は同じ要素を示すため、説明は省略する。導入部３０は中空の筒３１内に細い棒（不図示）を挿入した構造を有しており、この細い棒の一端（図３（Ｂ）では左端）に保持部２２が装着され、展開部２１を保持部２２にロール状に巻き取る（丸める）ことにより全体として取り回し部２０が保持部２２を介して細い棒に巻き付けられている。この細い棒の他端（図３（Ｂ）では右端）には展開部２１の展開および格納を操作する操作部３３（図３（Ａ）参照）が装着され、取り回し部２０が装着された一端（図３（Ｂ）では左端）に対応する筒３１の一端（同左端）にスリット３２が設けられている。図３（Ｂ）に示されるように、スリット３２のサイズは幅０．５ｍｍ、長さ８ｍｍが好適である。図３（Ｂ）に示されるように、展開部２１は操作部３３の回転により保持部２２から巻き出されスリット３２を通して測定対象（図３（Ｂ）では上部）へ展開される。図３（Ｃ）に示されるように、展開部２１は操作部３３の逆の回転により保持部２２へスリット３２を通して巻き取られて格納される。以上示した数値は一例であって、本発明の接触圧力測定システムにおける導入部３０の仕様は上記数値に限定されるものではない。導入部３０を用いることにより、内視鏡視下手術中に、体組織中の所望の位置に圧力センサ１０を導入し、体組織内の接触圧力を直接測定することができる。上述した取り回し部２０および導入部３０を１つのリード部とみなし、低侵襲的に圧力センサ１０を体組織内へ導入することが可能である。つまり、圧力センサ１０を生体組織内に挿入するに際し、測定領域よりも広く体組織の切開を行う必要がない。この結果、臨床、特に内視鏡視下手術において、圧力センサ１０による接触圧力（分布）の測定を、生体組織に対して低侵襲的に行うことができると共に、生体組織内の接触圧力（分布）を直接測定することができる。
【００２３】
図４は、本発明の接触圧力測定システムにおける測定システム４０を示す。図４で図１および図２（Ａ）と同じ符号を付した個所は同じ要素を示すため、説明は省略する。測定システム４０は、圧力センサ１０各櫛目状の銅電極ａ１等に接合されたリード線１３を導入部３０を通して接続したものである。図４において、符号４１はリレーボードであり、導電性フィルム１２上面の櫛目状の銅電極１１ａの１本（ａ１等：マトリックスの列）を選択する。選択された櫛目状の銅電極ａ１等に電流が供給され、導電性フィルム１２の抵抗変化に応じた電圧が対面する櫛目状の銅電極１１ｂから出力される。導電性フィルム１２下面の櫛目状の銅電極１１ｂを測定回路であるマルチプレクサ（測定回路）４２により１本ずつ（ｂ１等：マトリックスの行）順次選択し、両面の櫛目状の銅電極１１ａおよび１１ｂが形成する交点（ａ１とｂ１等）の抵抗値をスキャンする。測定回路４２からのデータはＡ／Ｄコンバータ４３を介してパーソナルコンピュータＰＣ４４へ出力され処理される。ＰＣ４４はリレーボード４１、Ａ／Ｄコンバータ４３、測定回路４２の制御を行い、測定データの処理（上記スキャンした抵抗値を電圧値に変換し、この電圧値と接触圧力との関係を求める処理）を行う。
【００２４】
図４に示されるようにセンサ駆動回路に反転増幅回路を用いることにより、帰還抵抗の調整で接触圧力の感度をある程度設定することができる。図４に示されるように、選択されたリレーボード４１側電極の１本に電圧Ｖｃｃが作用するようになっており、選択されない電極は全て電圧がＧＮＤに落ちるように構成されている。一方、測定回路４２側では全ての電極が反転増幅回路によりＧＮＤとイマジナリショートしている。このため、選択していない電極による回り込み回路による干渉を排除することができる。
【００２５】
較正実験．
圧力センサ１０からの電気信号を圧力値へ変換するためには、圧力とそれに対する抵抗値との関係をあらかじめ調べておく必要がある。発明者は以下のように較正実験を行った。まず圧力センサ１０を２枚のテフロン（登録商標）シートで挟み、その両面を柔軟性を有するスポンジゴムで挟み込む。この状態で同直径の治具を介して万能材料試験機により圧縮する。図５は、以上のようにして得られた圧力の出力電圧−圧力特性を示す。図５で、横軸は接触圧力[ｋＰａ]、縦軸は出力電圧[Ｖ]である。図５に示されるように、接触圧力の増加に伴い、出力電圧が増加することがわかる。
【００２６】
適用実験１．
次に、微小な個体を圧力センサ１０に押し付けて接触圧力分布を測定する適用実験を行った。図６は微小な個体としてクリップを用いた場合の適用実験１を示す。図６で図１、２（Ａ）、３（Ａ）とおなじ符号を付した個所は同じ要素を示すため、説明は省略する。図６において、符号５０は指先、５１はクリップである。図６に示されるように、展開部２１が筒３１のスリット３２から展開された状態で、クリップ５１を圧力センサ１０に指先５０で押し付けた。図７（Ａ）は、上述した接触圧力測定システムを用いて適用実験１の接触圧力分布の測定を行った結果を示す。当該結果はＰＣ４４による測定データの処理結果である。図７（Ａ）で、接触圧力の強弱は濃淡により示されている。図７（Ｂ）は図７（Ａ）の濃淡を具体的な圧力［ｋＰａ］で示す。図７（Ａ）に示されるように、クリップ１０の円弧形状を捉えることができ、詳細な接触圧力分布を計測することができた。
【００２７】
適用実験２．
図８は、微小な個体としてクリップを用いた場合の適用実験２を示す。図８で図１、２（Ａ）、３（Ａ）、６とおなじ符号を付した個所は同じ要素を示すため、説明は省略する。図８も図６と同様に、展開部２１が展開された状態で、クリップ５１を圧力センサ１０に指先５０で押し付けた。図９（Ａ）は、上述した接触圧力測定システムを用いて適用実験２の接触圧力分布の測定を行った結果を示す。図９（Ａ）および（Ｂ）の表示方法は図７（Ａ）および（Ｂ）と同様であるため、説明は省略する。図９（Ａ）に示されるように、クリップ１０の円弧形状を捉えることができ、詳細な接触圧力分布を計測することができた。
【００２８】
適用実験３．
図１０は、微小な個体としてクリップを用いた場合の適用実験３を示す。図１０で図１、２（Ａ）、３（Ａ）、６とおなじ符号を付した個所は同じ要素を示すため、説明は省略する。図１０も図６と同様に、展開部２１が筒３１のスリット３２から展開された状態で、クリップ５１を圧力センサ１０に指先５０で押し付けた。図１１（Ａ）は、上述した接触圧力測定システムを用いて適用実験３の接触圧力分布の測定を行った結果を示す。図１１（Ａ）および（Ｂ）の表示方法は図７（Ａ）および（Ｂ）と同様であるため、説明は省略する。図１１（Ａ）に示されるように、クリップ１０の円弧形状を捉えることができ、詳細な接触圧力分布を計測することができた。
【００２９】
以上より、本発明の実施例１によれば、本発明の接触圧力測定システムの構成要素は、体組織内の接触圧力を測定する圧力センサ１０と、圧力センサ１０が装着された取り回し部２０と、取り回し部２０を体組織内へ導入する導入部３０と、圧力センサ１０と導入部３０を通して接続した測定システム４０とから成っている。圧力センサ１０は、銅張ポリイミドフィルム上に形成された櫛目状の銅電極ａ１〜ａ５、ｂ１〜ｂ５（または櫛目状の銅電極１１ａおよび１１ｂ）の２枚で導電性フィルム１２を挟み込む構造を有している。２枚の各櫛目状の銅電極ａ１〜ａ５、ｂ１〜ｂ５（または櫛目状の銅電極１１ａおよび１１ｂ）を相互に直交させることにより形成されたマトリックス状の交点を測定点とする。以上のように測定点をマトリックス状に多数配置することができ、圧力センサ１０により測定される測定領域の小さな面に対しても高い分解能による測定が可能である。取り回し部２０は、圧力センサ１０が一端Ｃに装着され一径（図２（Ａ）では短径Ｅ）が圧力センサ１０の外径と略同等であり、他の一径（図２（Ａ）では長径Ｆ）方向へ展開可能となっている展開部２１と、展開部２１の他端Ｄに接続された保持部２２とから構成されている。取り回し部２０の一径（図２（Ａ）では短径Ｅ）は圧力センサ１０の外径と略同等であるため、圧力センサ１０を生体組織内に挿入するに際し、測定領域よりも広く体組織の切開を行う必要がない。この結果、圧力センサ１０による接触圧力（分布）の測定を、生体組織に対して低侵襲的に行うことができる。導入部（センサ導入機構）３０は、取り回し部２０の展開部２１が測定対象へ展開され且つ導入部３０側へ格納されるスリット３２と、展開部２１の展開および格納を操作する操作部とから構成されている。導入部３０は中空の筒３１内に細い棒（不図示）を挿入した構造を有しており、この細い棒の一端（図３（Ｂ）では左端）に保持部２２が装着され、展開部２１を保持部２２にロール状に巻き取る（丸める）ことにより全体として取り回し部２０が保持部２２を介して細い棒に巻き付けられている。この細い棒の他端（図３（Ｂ）では右端）には展開部２１の展開および格納を操作する操作部３３（図３（Ａ）参照）が装着され、取り回し部２０が装着された一端（図３（Ｂ）では左端）に対応する筒３１の一端（同左端）にスリット３２が設けられている。展開部２１は操作部３３の回転により保持部２２から巻き出されスリット３２を通して測定対象（図３（Ｂ）では上部）へ展開される。展開部２１は操作部３３の逆の回転により保持部２２へスリット３２を通して巻き取られて格納される。取り回し部２０および導入部３０を１つのリード部とみなし、低侵襲的に圧力センサ１０を体組織内へ導入することが可能である。この結果、臨床、特に内視鏡視下手術において、圧力センサ１０による接触圧力（分布）の測定を、生体組織に対して低侵襲的に行うことができると共に、生体組織内の接触圧力（分布）を直接測定することができる。測定システム４０は、圧力センサ１０各櫛目状の銅電極ａ１等に接合されたリード線１３を導入部３０を通して接続したものである。リレーボード４１は導電性フィルム１２上面の櫛目状の銅電極１１ａの１本（ａ１等：マトリックスの列）を選択する。選択された櫛目状の銅電極ａ１等に電流が供給され、導電性フィルム１２の抵抗変化に応じた電圧が対面する櫛目状の銅電極１１ｂから出力される。導電性フィルム１２下面の櫛目状の銅電極１１ｂを測定回路であるマルチプレクサ（測定回路）４２により１本ずつ（ｂ１等：マトリックスの行）順次選択し、両面の櫛目状の銅電極１１ａおよび１１ｂが形成する交点（ａ１とｂ１等）の抵抗値をスキャンする。測定回路４２からのデータはＡ／Ｄコンバータ４３を介してパーソナルコンピュータＰＣ４４へ出力され処理される。ＰＣ４４はリレーボード４１、Ａ／Ｄコンバータ４３、測定回路４２の制御を行い、測定データの処理（上記スキャンした抵抗値を電圧値に変換し、この電圧値と接触圧力との関係を求める処理）を行う。以上のようにして、本発明の接触圧力測定システムによれば、臨床における圧力センサによる接触圧力（分布）の測定を、体組織に対して低侵襲的に行うことができる。さらに、内視鏡視下手術において生体組織内の接触圧力（分布）を直接測定することができる。
【産業上の利用可能性】
【００３０】
本発明の活用例として、人間の膝関節、肩関節、肘関節における接触圧力の測定に適用することができる。加えて、血管に挿入するステントと血管との間の接触圧力の測定等にも適用することができる。
【符号の説明】
【００３１】
１０  圧力センサ、  １１ａ、１１ｂ  櫛目状の銅電極、  １２  導電性フィルム、  １３  リード線、  ２０  取り回し部、  ２１  展開部、  ２２  保持部、  ３０  導入部、  ３１  筒、  ３２  スリット、  ３３  操作部、  ４０  測定システム、  ４１  リレーボード、  ４２  マルチプレクサ（測定回路）、  ４３  Ａ／Ｄコンバータ、  ４４  ＰＣ、  ５０  指先、  ５１  クリップ。
【先行技術文献】
【非特許文献】
【００３２】
【非特許文献１】Liau, J. J., Hu, C. C., Cheng, C. K., Huang, C. H. and Lo, W. H.,The Influence of Inserting a Fuji Pressure Sensitive Film Between the Tibiofemoral Joint of Knee Prosthesis on Actual Contact Characteristics,Clinical Biomechanics, Vol. 16, (2001), pp.160-166.
【非特許文献２】Wilson, D. R., Apreleva, M. V., Eicheler, M. J. and Harrold, F. R.,Accuracy  and Repeatability of Pressure Measurement System in the PatellofemoralJoint, Journal of Biomechanics, Vol. 36, (2003), pp.1909-1915.
【非特許文献３】Hara, T.,  Sasagawa, K.,Nakabe, N., Koga, Y. and Kanaya, K., Dynamic Measurement System for Contact Pressure  Distribution in Human Joints Utilizing Pressure Sensitive Conductive Rubber, Transactions of the Japan Society of Mechanical Engineers, Series A,Vol. 58, No. 551 (1992), pp.1154-1159.
【図４】
0005504464.tif 000002
【図５】
0005504464.tif 000003
【図１】
0005504464.tif 000004
【図２（Ａ）】
0005504464.tif 000005
【図２（Ｂ）】
0005504464.tif 000006
【図３（Ａ）】
0005504464.tif 000007
【図３（Ｂ）】
0005504464.tif 000008
【図３（Ｃ）】
0005504464.tif 000009
【図６】
0005504464.tif 000010
【図７】
0005504464.tif 000011
【図８】
0005504464.tif 000012
【図９】
0005504464.tif 000013
【図１０】
0005504464.tif 000014
【図１１】
0005504464.tif 000015
【図１２】
0005504464.tif 000016